(57)【要約】【課題】短時間に、高精度に受信状態を報知することができる電波修正時計を提供する。【解決手段】電波信号を受信し、受信結果に応じたパルス信号Ｓ１１を出力する標準電波信号受信系１１と、標準電波信号受信系１１によるパルス信号のレベルの切り替り点を検出し、その検出の結果に基づいて標準電波信号受信系１により受信される標準時刻信号の受信状態を評価する制御回路２０と、制御回路２０による受信状態の評価に基づいて標準時刻信号の受信状態を示す表示を行う表示部１９や受信状態表示部３０とを設ける。【選択図】図１
2006098272.tif 000002
【特許請求の範囲】
【請求項１】
標準時刻信号を含む電波信号を受信して、内部時計の時刻修正を行う電波修正時計であって、
前記電波信号を受信し、受信結果に応じたパルス信号を出力する電波受信手段と、
前記電波受信手段によるパルス信号のレベルの切り替り点を検出し、前記検出の結果に基づいて前記電波受信手段により受信される標準時刻信号の受信状態を評価する制御手段と、
前記制御手段による受信状態の評価に基づいて前記標準時刻信号の受信状態を示す表示を行う表示手段と
を有する電波修正時計。
【請求項２】
前記制御手段は、設定時間内の前記パルス信号のレベルの切り替り点の個数と、設定個数とを比較し、前記比較の結果に基づいて前記標準時刻信号の受信状態の評価を行う
請求項１に記載の電波修正時計。
【請求項３】
前記制御手段は、前記表示手段に前記受信状態の評価に応じた表示を設定された秒毎に行い、かつ複数の前記受信状態の評価に基づいて前記受信状態を段階的に表示させる
請求項１または２に記載の電波修正時計。
【請求項４】
前記制御手段は、前記表示手段に通常時に前記内部時計により計時される時刻情報に応じてデジタル方式により時刻表示を行い、電波受信時には、前記デジタル方式による時桁表示部、分桁表示部、秒桁表示部、年表示部、曜日表示部、アラーム表示部のいずれかに、前記受信状態の評価に応じた表示を行い、かつ前記複数の受信状態の評価に応じた段階的な表示を行う
請求項３に記載の電波修正時計。
【請求項５】
前記標準時刻信号は、切り替り点が標準時刻に秒同期したパルス信号を含み、
前記制御手段は、前記電波受信手段から出力されたパルス信号の切り替り点と、前記内部時計により計時される時刻情報の秒情報とのずれに基づいて前記標準時刻信号の受信状態を評価し、前記表示手段に当該評価を示す表示を行う
請求項１から４のいずれかに記載の電波修正時計。
【請求項６】
前記制御手段は、設定期間内の前記切り替り点の個数が設定個数よりも多い場合に、前記電波信号にノイズが含まれていると判断して前記受信状態の評価を低く設定し、前記表示手段に当該評価を示す表示を行う
請求項１から５のいずれかに記載の電波修正時計。
【請求項７】
前記制御手段は、設定期間内の前記切り替り点の個数が設定個数よりも少ない場合に、前記電波信号に前記標準時刻信号が含まれていないと判断して前記受信状態の評価を低く設定し、前記表示手段に当該評価を示す表示を行う
請求項１から６のいずれかに記載の電波修正時計。
【請求項８】
前記制御手段は、設定時間内の前記受信状態の評価が全て良好な場合には、前記複数の受信状態の評価を高く設定し、前記表示手段に当該評価を示す表示を行う
請求項１から７のいずれかに記載の電波修正時計。
【請求項９】
前記制御手段は、前記電波受信手段による受信初期時に、前記電波受信手段から出力されたパルス信号の切り替り点に基づいて、概略の前記受信状態を示す段階的な表示を行う
請求項１から８のいずれかに記載の電波修正時計。
【発明の詳細な説明】
【技術分野】
【０００１】
本発明は、たとえば標準時刻信号を含む電波信号を受信して時刻修正を行う電波修正時計に関するものである。
【背景技術】
【０００２】
たとえば、送信局から送信される標準時刻信号を含む標準電波は、周波数が４０ｋＨｚや６０ｋＨｚ程度であり送信出力が数１０ｋＷである。このため電波修正時計の設置場所により受信状態が良好でない場合がある。
受信状態は、たとえば設置場所と送信局間の距離により変化し、また郊外や都市部等の設置場所、設置場所の建物の構造、設置場所の窓際からの距離、設置場所でのノイズ発生源からのノイズの影響等により変化する。
【０００３】
このため、ユーザは電波修正時計の設置場所を決定する際に、短時間に高精度に受信状態を適確に把握したいという要望がある。
ところで、標準電波に含まれる標準時刻信号のパルス幅に基づいて受信状態を判別する電波修正時計が知られている（たとえば、特許文献１参照）。
【特許文献１】特開２０００−２４９７７７号公報
【発明の開示】
【発明が解決しようとする課題】
【０００４】
しかし、上述した電波修正時計では、たとえばノイズ等により、標準時刻信号のパルス波形が乱れた場合であっても、標準時刻信号のパルス幅に基づいて受信状態を判別するために、その判別結果が適切に受信状態を反映していない場合がある。
このため、短時間に、高精度に受信状態を報知することができる電波修正時計が望まれている。
【０００５】
本発明は、かかる事情に鑑みてなされたものであり、その目的は、短時間に、高精度に受信状態を報知することができる電波修正時計を提供することにある。
【課題を解決するための手段】
【０００６】
前記目的を達成するために、本発明の電波修正時計は、標準時刻信号を含む電波信号を受信して、内部時計の時刻修正を行う電波修正時計であって、前記電波信号を受信し、受信結果に応じたパルス信号を出力する電波受信手段と、前記電波受信手段によるパルス信号のレベルの切り替り点を検出し、前記検出の結果に基づいて前記電波受信手段により受信される標準時刻信号の受信状態を評価する制御手段と、前記制御手段による受信状態の評価に基づいて前記標準時刻信号の受信状態を示す表示を行う表示手段とを有する。
【０００７】
好適には、設定時間内の前記パルス信号のレベルの切り替り点の個数と、設定個数とを比較し、前記比較の結果に基づいて前記標準時刻信号の受信状態の評価を行う。
【０００８】
また、好適には、前記制御手段は、前記表示手段に前記受信状態の評価に応じた表示を設定された秒毎に行い、かつ複数の前記受信状態の評価に基づいて前記受信状態を段階的に表示させる。
【０００９】
また、好適には、前記制御手段は、前記表示手段に通常時に前記内部時計により計時される時刻情報に応じてデジタル方式により時刻表示を行い、電波受信時には、前記デジタル方式による時桁表示部、分桁表示部、秒桁表示部、年表示部、曜日表示部、アラーム表示部のいずれかに、前記受信状態の評価に応じた表示を行い、かつ前記複数の受信状態の評価に応じた段階的な表示を行う。
【００１０】
また、好適には、前記標準時刻信号は、切り替り点が標準時刻に秒同期したパルス信号を含み、前記制御手段は、前記電波受信手段から出力されたパルス信号の切り替り点と、前記内部時計により計時される時刻情報の秒情報とのずれに基づいて前記標準時刻信号の受信状態を評価し、前記表示手段に当該評価を示す表示を行う。
【００１１】
また、好適には、前記制御手段は、設定期間内の前記切り替り点の個数が設定個数よりも多い場合に、前記電波信号にノイズが含まれていると判断して前記受信状態の評価を低減し、前記表示手段に当該評価を示す表示を行う。
【００１２】
また、好適には、前記制御手段は、設定期間内の前記切り替り点の個数が設定個数よりも少ない場合に、前記電波信号に前記標準時刻信号が含まれていないと判断して前記受信状態の評価を低減し、前記表示手段に当該評価を示す表示を行う。
【００１３】
また、好適には、前記制御手段は、設定時間内の前記受信状態の評価が全て良好な場合には、前記複数の受信状態の評価を高く設定し、前記表示手段に当該評価を示す表示を行う。
【００１４】
また、好適には、前記制御手段は、前記電波受信手段による受信初期時に、前記電波受信手段から出力されたパルス信号の切り替り点に基づいて、概略の前記受信状態を示す段階的な表示を行う。
【発明の効果】
【００１５】
本発明によれば、短時間に、高精度に受信状態を報知することができる電波修正時計を提供することができる。
【発明を実施するための最良の形態】
【００１６】
以下、本発明の実施の形態を添付図面に関連付けて説明する。
【００１７】
図１は、本発明に係る電波修正時計の信号処理系の一実施形態を示すブロック図である。
本実施形態に係る電波修正時計１は、標準電波放送から送信される標準時刻信号を含む標準電波信号を受信し、受信結果に基づいて内部で計時される時刻を修正する。
また、電波修正時計１は、電波信号を受信し、受信結果に応じたパルス信号の、設定時間内のレベルの切り替り点の個数と設定個数とを比較し、比較結果に基づいて標準時刻信号の受信状態を示す評価値を生成し、その評価値に基づいて、標準時刻信号の受信状態を表示部に表示する。
【００１８】
また電波修正時計１は、表示部に、受信状態の評価値に応じた表示を設定された秒毎（リアルタイム）に行い、かつ複数の受信状態の評価に基づいて受信状態を段階的に表示させる。
【００１９】
本実施形態に係る電波修正時計１の信号処理回路１０は、たとえば図１に示すように、標準電波信号受信系１１、発振回路１２、スイッチ群１３、スピーカ１４、マイクロフォン１５、光センサ１６、光電変換部１７、検出部１８、表示部１９、制御回路２０、および受信状態表示部３０を有する。
【００２０】
標準電波信号受信系１１は本発明に係る電波受信手段の一例に相当し、制御回路２０は本発明に係る制御手段の一例に相当し、受信状態表示部３０は、本発明に係る表示手段の一例に相当する。
また、本実施形態では後述するように、時刻表示を行う表示部１９と受信状態表示部３０とが同じ表示装置（ＬＣＤパネル）により実現されている。
【００２１】
標準電波信号受信系１１は、標準時刻信号を含む標準電波信号を受信し、受信された標準時刻信号に応じたパルス信号Ｓ１１を制御回路２０に出力する。
【００２２】
標準電波信号受信系１１は、たとえば図１に示すように、受信アンテナ１１１、および長波受信回路１１２を有する。
受信アンテナ１１１は、たとえば標準電波送信局２から送信された標準時刻信号を含む長波の標準電波を受信する。
受信アンテナ１１１は、たとえば長波受信用のいわゆるバーアンテナやコアレスアンテナである。
【００２３】
長波受信回路１１２は、たとえば制御回路２０からの指示に応じて、受信アンテナ１１１で受信された標準電波に対して所定の信号処理を行い、処理結果をたとえばパルス信号Ｓ１１として制御回路２０に出力する。
長波受信回路１１２は、たとえば、不図示のＲＦアンプ、検波回路、整流回路、および積分回路等により構成される。
【００２４】
図２は、図１に示した電波修正時計で受信される標準電波信号に含まれる標準時刻信号の一具体例を示す図である。
図２（ａ）は標準電波信号の一具体例を示す図である。図２（ｂ）は受信状態が良い場合の出力波形を示す図である。図２（ｃ）は受信状態が良好でない場合、電波の受信強度が非常に弱い場合の出力波形の一具体例を示す図である。図２（ｄ）は電波の受信状態が良好でない場合の出力波形の一具体例を示す図である。
【００２５】
たとえば、日本標準時を高精度で伝える長波の標準電波ＪＪＹは、図２（ａ）に示すような形態で送られてくる。
具体的には、ＪＪＹの標準時刻信号（タイムコードとも言う）は、「１」信号、「０」信号、「Ｐ」信号の３種類の信号パターンから構成され、それぞれの信号パターンは、１秒（ｓ）の中の１００％振幅期間幅によって区別されている。「１」信号を表す場合には、１秒（ｓ）の間に５００ｍｓ（０．５ｓ）だけ所定の周波数の所定の１００％振幅期間の信号が送信され、「０」信号を表す場合には、１秒（ｓ）の間に８００ｍｓ（０．８ｓ）だけ所定の周波数の信号が送信され、「Ｐ」信号を表す場合には、１秒（ｓ）の間に２００ｍｓ（０．２ｓ）だけ所定の周波数の信号が送信されてくる。
【００２６】
受信状態が良好であり、受信が成功した場合には、たとえば図２（ｂ）に示すように標準時刻信号の波形に応じたパルス信号Ｓ１１が制御回路２０に出力される
この場合には、制御回路２０は、受信した標準電波の受信状態が予め規定された正常な基準範囲内にあるものとみなす。
【００２７】
一方、受信状態が基準範囲外にあるとみなす場合は、電波が弱い場合や、ノイズが多い場合である。
電波が非常に弱い場合には、たとえば図２（ｃ）に示すように、数個の信号分、パルス信号がローレベル（Ｌ）またはハイレベル（Ｈ）のままになる。
また、ノイズの多い場合には、たとえば図２（ｄ）に示すように、受信電波の波形に無関係にパルス信号のレベルが変化する。
【００２８】
本実施形態に係る電波修正時計１は、後述するようにたとえば受信状態を、パルス信号の切り替り点、詳細にはハイレベル（Ｈ）と、ローレベル（Ｌ）との切り替り点Ｐの、設定時間内の数と、設定個数とを比較した結果に基づいて受信状態を評価する。具体的には、電波修正時計１は、電波受信時に、たとえば設定時間毎、たとえば秒毎に上述した受信状態の評価を行う。
パルス信号Ｓ１１の切り替り点Ｐは、たとえば図２（ｂ）に示すように、パルス信号Ｓ１１のレベルの立ち上がり点ＰＬＵと、レベルの立ち下り点ＰＬＤがある。
【００２９】
なお、日本標準電波ＪＪＹは、独立行政法人情報通信機構（ＮＩＣＴ）のもとで運用されている。また、変調波であるパルス信号ＰＬの振幅は最大１００％、最小１０％である。
【００３０】
次に、長波標準電波信号の送信データ（時刻コード）について説明する。
図３（ａ），（ｂ）は、標準電波信号の時刻コード（タイムコード）の一部である。
タイムコードは、たとえば図３（ａ），（ｂ）に示すように、１分１周期（１フレーム）として、これを、６０秒分割し、１秒毎に１ビットの情報を割り当てて送信している。
【００３１】
タイムコードが送信する情報は、時、分、１月１日からの通算日、年（西暦下２桁）、曜日に関しては、２進数（ＢＣＤ（Binary coded decimal notation ２進化１０進法）正論理）として表し送信する。
従って、時には、２４時間制ＪＳＴの時を表すために６ビット、分には７ビット、通算日には１０ビット、年には８ビット、曜日には３ビットが必要となる。
【００３２】
なお、秒信号については、秒は電波のパルス信号の立ち上がりとし、パルスの立ち上がりの５５％（１０％値と１００％値の中央）が標準時刻の１秒信号に同期する。
【００３３】
Ｐ信号は、１フレームに７回送信され、正分（０秒）に対応するものがマーカーＭと呼ばれ、９秒、１９秒、２９秒、３９秒、４９秒に対応するものが、それぞれポジションマーカーＰ１〜Ｐ５と呼ばれる。
なお、もう一つのポジションマーカーＰ０は、通常（非うるう秒時）は５９秒の立ち上がりに対応する。
【００３４】
このＰ信号が続けて現れるのは１フレーム中１回で、５９秒、００秒のとき、つまりポジションマーカーＰ０，マーカーＭと続くときだけ、この続けて現れる位置が正分位置となる。つまり分・時データの等の時刻データは、この正分位置を基準としてフレーム中の位置が決まっているため、この正分位置の検出を行い、時刻データを取りだす。
【００３５】
ただし、標準電波のフレームのフォーマットは、毎分同じではなく、たとえば図３（ａ）に示すように、毎時１５分および４５分時以外のフォーマットと、図３（ｂ）に示すように、それぞれ毎時１５分および４５分の時刻のフォーマットは、異なっている。ＳＵ１、ＳＵ２と名付けられた予備ビットと、ＬＳ１、ＬＳ２と名付けられたうるう秒情報は、呼び出し符号と停波情報は、年情報と曜日情報の代わりに１５分、４５分のフォーマットにのみ現れる。
【００３６】
このように、時刻信号（タイムコード）を含む標準電波を受信し、そこから得られるパルス信号をデコードすることにより、標準時刻情報を得ることができる。
制御回路２０は、得られた標準時刻信号に基づいて、計時される計時時刻を修正する。
【００３７】
発振回路１２は、たとえば、水晶発振器ＣＲＹ、およびキャパシタＣ１，Ｃ２により構成され、所定の周波数の基本クロックを生成し、制御回路２０に供給する。
【００３８】
スイッチ群１３は、たとえば、ユーザにより操作され、操作に応じた信号が制御回路２０に出力される。制御回路２０では、その信号に応じた所定の処理を行う。
スイッチ群１３は、たとえば、リセットスイッチ１３１、修正スイッチ１３２、アップスイッチ１３３、ダウンスイッチ１３４、および設定スイッチ１３５を有する。
【００３９】
リセットスイッチ１３１は、制御回路２０の各種状態を初期状態に戻すときにオンされる。リセットスイッチ１３１が操作された場合、または、図示しない電池がセットされた場合に、制御回路２０は各種状態を初期状態に戻し、標準電波信号受信系１１に標準電波信号を強制的に受信させ、受信状態に基づいて計時時刻を修正する。
【００４０】
修正スイッチ１３２は、たとえばアラーム時刻を設定する際に操作される。修正スイッチ１３２が操作された場合、制御回路２０は、たとえばアラーム時刻設定モードとなり、アップスイッチ１３３やダウンスイッチ１３４の操作に応じた信号に基づいてアラーム時刻を修正し、再度修正スイッチ１３２が操作された場合に、修正されたアラーム時刻をセットする。
【００４１】
アップスイッチ１３３，ダウンスイッチ１３４は、たとえば上述したようにアラーム時刻を設定する際や、各種設定を行う際に操作される。制御回路２０は、たとえばアップスイッチ１３３やダウンスイッチ１３４の操作に応じた信号に基づいて各種情報の設定を行う。
【００４２】
設定スイッチ１３５は、複数のモード、たとえば受信モードや、表示モード、アラーム報知モード等の各種モードを設定する際に操作される。制御回路２０は、設定スイッチ１３５が操作された場合に、その操作に応じたモードを設定する。
【００４３】
スピーカ１４は、制御回路２０の制御により、所定の音、たとえばアラーム音やメロディ等を出力する。
マイクロフォン１５は、音波を電気信号に変換し、制御回路２０に出力する。
光センサ１６は、たとえば、ＣｄＳ光センサであり、光を検出し、検出信号を制御回路２０に出力する。
【００４４】
光電変換部１７は、たとえば不図示の２次電源に、電気エネルギを出力し、２次電源の充電を行う。
検出部１８は、たとえば光電変換部１７から出力された電気エネルギの電圧に応じた検出信号を制御回路２０に出力する。
【００４５】
受信状態表示部３０は、制御回路２０により評価された、標準電波信号受信系１１による標準時刻信号の受信状態を表示する。
【００４６】
図４（ａ）〜（ｃ）は、図１に示した電波修正時計の全体構成の一例を示す図である。
図４（ａ）は電波修正時計の正面図、図４（ｂ）は右側面図、図４（ｃ）は上面図である。
【００４７】
電波修正時計１の本体部１００は、たとえば図４（ａ）に示すように、本体部１００の中央部にスイッチ群１３が設けられている。詳細には本体部１００の中央部に、アップスイッチ１３３，ダウンスイッチ１３４が並んで設けられ、その下部に（モード）設定スイッチ１３５が設けられている。
たとえば、リセットスイッチ１３１や修正スイッチ１３２は、不図示の本体部１００の背面部に設けられている。
【００４８】
本体部１００のスイッチ群１３の下部には、表示部１９および受信状態表示部３０が設けられている。
本実施形態に係る電波修正時計１では、表示部１９と、受信状態を表示する受信状態表示部３０とが同じ表示装置、たとえばＬＣＤパネル１９１に設けられている。
【００４９】
図５は、図４に示した電波修正時計の表示部（受信状態表示部）の一具体例を示す図である。
ＬＣＤパネル１９１は、たとえば、図５に示すように、時分、秒、月日、曜日、目覚まし時刻、および電波受信表示の複数の表示項目を表示する、時分表示部ＤＰＡ１、秒表示部ＤＰＡ２、月日表示部ＤＰＡ３、曜日表示部ＤＰＡ４、目覚まし（アラーム時刻）表示部ＤＰＡ５、および電波受信表示部ＤＰＡ６を有する。
【００５０】
図５の一具体例では、時分表示部ＤＰＡ１がＬＣＤパネル１９１の表示領域の上半分以上の領域に割り当てられている。この時分表示部ＤＰＡ１の表示形態は、時分のデジタル表示を大きく表示可能で、秒表示部ＤＰＡ２を分表示の図中右下横部分に配置している。
また、時分表示部ＤＰＡ１の図中左上横部に、電波受信表示部ＤＰＡ６を配置している。この電波受信表示部ＤＰＡ６は、制御回路２０の制御により、標準電波信号受信系１１による標準電波受信時に点滅して、電波受信中である旨を報知する。
【００５１】
そして、ＬＣＤパネル１９１の表示領域の下半分以下の領域に、月日表示部ＤＰＡ３、曜日表示部ＤＰＡ４、目覚まし（アラーム時刻）表示部ＤＰＡ５が並列に配置されている。
【００５２】
図６は、図１に示した電波修正時計の時刻表示部および受信状態表示部の一具体例のブロック図である。
表示部１９は、たとえば、制御回路２０からの表示制御信号に応じた所定の表示を行う。たとえば、表示部１９は、制御回路２０から、計時されている時刻に基づいた表示制御信号が入力されると、その表示制御信号に応じた時刻表示を行う。
また、表示部１９は、制御回路２０の制御により標準電波信号受信系１１による受信状態の評価に応じた受信状態表示を行う機能（受信状態表示部３０）を有する。
【００５３】
表示部１９は、たとえば、液晶表示装置（ＬＣＤパネル）や、ＬＥＤ表示部、有機ＥＬディスプレイデバイス等の表示装置である。以下、表示部１９が液晶表示装置（ＬＣＤパネル）の場合を説明する。
【００５４】
表示部１９は、たとえば、図６に示すように、ＬＣＤパネル１９１、および駆動回路１９２を有する。
ＬＣＤパネル１９１は、いわゆる液晶パネルであり、駆動回路１９２から出力される駆動信号に応じて、所定の画像や文字、記号等を表示する。
駆動回路１９２は、制御回路２０から出力された表示制御信号に基づいて、駆動信号をＬＣＤパネル１９１に出力する。
駆動回路１９２は、たとえば、コモン駆動回路１９２１、セグメント駆動回路１９２２、およびＬＣＤ制御回路１９２３を有する。
【００５５】
図７は、図５に示したＬＥＤパネルの一具体例の一部を示す図である。
表示部１９のＬＣＤパネル１９１は、たとえば図７に示すように、セグメント電極ＳＥＧ、コモン電極ＣＯＭ、セグメント線ＬＳＥＧ、およびコモン線ＬＣＯＭを有する。
【００５６】
ＬＣＤパネル１９１は、たとえば図示しないが、偏光子、ガラス基板、透明電極（セグメント電極）、分子配向層、液晶、透明電極（コモン電極）、ガラス基板、および偏光子等が積層されて形成されている。
ＬＣＤパネル１９１では、不図示の基板の前面に設けられたセグメント電極ＳＥＧにはセグメント線ＬＳＥＧが接続され、基板の背面に設けられたコモン電極ＣＯＭにはコモン線ＬＣＯＭが接続されている。
【００５７】
セグメント電極ＳＥＧおよびコモン電極ＣＯＭに選択的に電圧をかけることにより、液晶の分子の向きを変化させて、たとえば０〜９の数字や、英語表記の曜日の一部を表示することができる。
【００５８】
コモン電極ＣＯＭは、コモン線ＬＣＯＭを介して、コモン駆動回路１９２１に接続されている。
セグメント電極ＳＥＧは、セグメント線ＬＳＥＧを介して、セグメント駆動回路１９２に接続されている。
【００５９】
コモン駆動回路１９２１は、ＬＣＤ制御回路１９２３からの信号に基づいて、ＬＣＤパネル１９１のコモン電極ＣＯＭへ、所定の駆動信号を供給する。
セグメント駆動回路１９２２は、ＬＣＤ制御回路１９２３からの信号に基づいて、ＬＣＤパネル１９１のセグメント電極ＳＥＧへ、所定の駆動信号を供給する。
【００６０】
ＬＣＤ制御回路１９２３は、たとえば、制御回路２０から出力された、内部で計時される時刻に応じた表示制御信号に基づいて、コモン駆動回路１９２１およびセグメント駆動回路１９２２に、駆動信号をＬＣＤパネル１９１に供給させる駆動制御信号を出力する。
【００６１】
図８は、図７に示した電波修正時計の表示部の駆動信号の一具体例を示す図である。
〔全セグメント点灯時〕
全セグメント点灯時には、コモン駆動回路１９２１は、コモン端子（ＣＯＭ１〜４）に図８（ａ）に示すように、最大電圧が駆動電圧ＶDD、最小電圧が基準電圧ＶSSのパルス方形波の駆動信号を供給する。
【００６２】
セグメント駆動回路１９２２は、セグメント電極ＳＥＧに、図８に（ｂ）に示すように、コモン電極ＣＯＭに供給されるパルス方形波と位相がπだけずれた、最大電圧が駆動電圧ＶDD、最小電圧が基準電圧ＶSSのパルス方形波を供給する。
【００６３】
〔全セグメント消灯時〕
全セグメント消灯時には、セグメント駆動回路１９２２は、セグメント電極ＳＥＧに、たとえば図８（ｃ）に示すように、最大電圧がＶDD1 で、最小電圧がＶDD2 のパルス方形波を供給する。
ＶDD2 はＶSSより高く、ＶDD1 はＶDD2 より高く、ＶDDは、ＶDD1 より高い。
液晶にかかる電圧は、コモン電極ＣＯＭとセグメント電極ＳＥＧ間の電圧である。
たとえば、ＶSS−ＶDD2 および、ＶDD−ＶDD1は、液晶の閾値電圧よりも低い。このとき、ＬＣＤパネル１９１には所定の画面表示が行われない。
【００６４】
〔１／３バイアス−１／３デューティー駆動方式〕
ＬＣＤパネル１９１において、通常時における駆動方法として、各種駆動方法があるが、ここではたとえば、１／３バイアス−１／３デューティー駆動方式を説明する。
【００６５】
この駆動方式では、コモン駆動回路１９２１は、たとえばコモン端子（ＣＯＭ１〜３）に、図８（ｄ），（ｅ），（ｆ）に示すように、電圧がＶSS、ＶSS2 、ＶDD1 、ＶDD2 、ＶDD1 、ＶDDと、６単位時間で周期的に変化する駆動信号を供給する。
【００６６】
コモン端子ＣＯＭ１，２，３それぞれに供給される駆動信号は、たとえば、２単位時間だけ位相がずれている。
コモン駆動回路１９２１は、たとえば表示させない箇所のコモン端子ＣＯＭ４には、図８（ｇ）に示すように、最高電圧がＶDD1 、最低電圧がＶDD2 のパルス方形波の駆動信号を供給する。
【００６７】
セグメント駆動回路１９２２は、コモン端子ＣＯＭ１，２，３に対応するセグメントＬＣＤの表示を消灯する場合には、コモン端子ＣＯＭ１，２，３それぞれに対応するセグメント端子ＳＥＧに、たとえば図８（ｈ）に示すような、最高電圧がＶDD1 、最低電圧がＶDD2 であるパルス方形波を供給する。
【００６８】
セグメント駆動回路１９２２は、たとえば、コモン端子ＣＯＭ１に対応するセグメントＬＣＤを点灯させる場合には、たとえば図８（ｉ）に示すような駆動信号を供給する。
【００６９】
セグメント駆動回路１９２２は、たとえば、コモン端子ＣＯＭ２に対応するセグメントＬＣＤを点灯させる場合には、たとえば図８（ｊ）に示すような駆動信号を供給する。
【００７０】
制御回路２０は、たとえば、時カウンタ、分カウンタ、秒カウンタ等を含む内部時計２０１、およびバッファ（メモリ）２０２を有する。
制御回路２０は、たとえば、所定の標準電波受信時刻、リセットスイッチ１３１等が操作された場合には、標準電波信号受信系１１に駆動電力を供給し、標準電波信号を受信させ、パルス信号Ｓ１１を出力させ、標準電波信号の受信状態を評価して、その評価に応じた受信状態を示す表示を表示部１９や受信状態表示部３０に行わせ、適正に受信できた場合には、受信した標準電波信号に含まれる標準時刻信号に基づいて、内部時計２０１で受信されている時刻を修正する。
【００７１】
詳細には、制御回路２０は、設定時間内の、標準電波信号受信系１１によるパルス信号のレベルの切り替り点の個数と、設定個数とを比較し、比較の結果に基づいて、標準電波信号受信系１１により受信された標準時刻信号の受信状態を示す評価値を生成する。
そして、制御回路２０は、その生成した評価値に基づいて、標準電波信号受信系１１による標準時刻信号の受信状態を受信状態表示部３０に表示させる。
【００７２】
本実施形態では、制御回路２０は、設定時間、たとえば略１０秒毎に、受信状態を示す１０段階の評価値を受信状態表示部３０に表示し、１秒毎に受信状態を受信状態表示部３０に表示する。
【００７３】
本実施形態では、制御回路２０、たとえば、図５に示すように、表示部１９のＬＣＤパネル１９１の時分表示部ＤＰＡ１の分桁（分表示部ＤＰＡ１２）に受信状態を示す１０段階の評価値を表示し、時桁（時表示部ＤＰＡ１１）に１秒毎に受信状態に応じた表示、詳細には受信状態が良好である旨を示す表示”０”（ＯＫ）や、受信状態が良好でない旨を示す表示”−”（ＮＧ）等の受信状態を表示する。
【００７４】
制御回路２０が、たとえば、分桁（分表示部ＤＰＡ１２）に表示する受信状態の１０段階表示は、たとえば０〜３の場合には、電波の受信状態が非常に良好でない旨を示し、４〜７の場合には、受信の可能性がある旨を示し、８〜１０の場合には電波受信状態が良好である旨を示す。
【００７５】
制御回路２０が、たとえば、時桁（時表示部ＤＰＡ１１）に表示する１秒毎の受信状態に応じた表示は、受信時にパルス信号Ｓ１１を３２Ｈｚでサンプリングを行い、１秒当り３２個のハイレベルに相当する”１”データ、またはローレベルに相当する”０”データをバッファ２０２に格納し、１秒毎にパルス波形の状態を判定し、その結果に基づいて受信状態を表示する。
【００７６】
〔リアルタイム表示（０／−）〕
制御回路２０は、秒同期検出中、つまりパルス信号Ｓ１１の立ち下り点ＰＬＤを検出中には、”−”（ＮＧ）を時桁（時表示部ＤＰＡ１１）に点滅表示する。
秒同期処理後、制御回路２０は、下記の受信状態の判定処理を設定期間毎、たとえば１秒毎に判定処理を行う。
【００７７】
（１）制御回路２０は、パルス信号Ｓ１１の１秒間にノイズパルスが１個以上検出された場合に、受信状態が良好でない（ＮＧ）と判断する。
詳細には、制御回路２０は、１秒以内にパルス信号Ｓ１１のレベルの切り替り点Ｐ、具体的には立ち下がり点が検出されない場合には、ノイズ成分が含まれていないと判断して第１判定フラグを１に設定し、１秒以内に立ち下り点が１個以上検出された場合にはノイズ成分が含まれていると判断して第１判定フラグを０に設定する。
【００７８】
（２）制御回路２０は、パルス信号Ｓ１１に時刻信号が含まれていない場合には、受信状態が良好でない（ＮＧ）と判断する。
詳細には、制御回路２０は、パルス信号Ｓ１１に、１秒以内に立ち上がり点ＰＬＵが１個だけ検出された場合には、時刻コードが適正に含まれていると判断して第２判定フラグを１に設定し、１秒以内に立ち上がり点ＰＬＵが２個以上の場合にはノイズ成分が含まれていると判断して第２判定フラグを０に設定し、また１秒以内に立ち上がり点ＰＬＵが検出されない場合（０個）に、時刻信号が含まれていないと判断して第２判定フラグを０に設定する。
【００７９】
（３）制御回路２０は、パルス信号Ｓ１１が、秒同期点からずれている場合には、受信状態が良好でない（ＮＧ）と判断する。
詳細には、制御回路２０は、秒同期後、パルス信号Ｓ１１のサンプリング開始点がローレベル（Ｌ）の場合で、かつ１秒後のサンプリング終了点においてハイレベル（Ｈ）の場合には、秒同期点がずれていないと判断して第３判定フラグを１に設定し、それ以外の場合には秒同期点がずれていると判断して第３の判定フラグを０に設定する。
【００８０】
（４）制御回路２０は、上記第１から第３判定フラグが全て１の場合には、秒毎の受信状態を示す秒毎受信状態フラグを１に設定して、受信状態が良好である旨、たとえば”０”（ＯＫ）を受信状態表示部３０に表示し、それ以外の場合には、秒毎受信状態フラグを０に設定して、受信状態が良好でない旨、たとえば”−”（ＮＧ）を受信状態表示部３０に表示する。
【００８１】
そして、制御回路２０は、受信状態表示部３０に相当する表示部１９の時桁に、毎秒”０”（ＯＫ）または”−”（ＮＧ）を表示、たとえば点滅表示させる。
受信完了時には、制御回路２０は表示部１９に現時刻表示行う。
【００８２】
〔１０段階表示〕
制御回路２０は、初期受信時に、設定時間、たとえば８秒間、パルス信号Ｓ１１をサンプリングした後、評価値および秒同期処理を行う。以下、一具体例を説明する。
（１）制御回路２０は、標準電波信号受信系１１による受信結果に基づいて評価値Ｓを演算し、演算結果の評価値Ｓに規定された変換処理を施して、変換値０〜７を生成する。
（２）制御回路２０は、秒同期点を検出する。
（３）制御回路２０は、秒同期が取れなければ、変換値を０〜３に設定して受信状態表示部３０に表示し、再度サンプリングをやり直す。
（４）制御回路２０は、秒同期が取れた場合には、分同期処理を行う。
【００８３】
〔分同期処理〕
制御回路２０は、分同期処理（００秒検出）を行う。
（１）制御回路２０は、毎秒上述したリアルタイム判定を行い、秒毎受信状態フラグの値をバッファ２０２等に記憶する。
【００８４】
（２）制御回路２０は、設定時間毎に、たとえば、１０秒毎に変換値Ａを受信状態に基づいて更新し、更新された変換値Ａを受信状態表示部３０に表示する。
詳細には、制御回路２０による変換値Ａの更新は、たとえば秒毎受信状態フラグが１０秒間に全て１の場合に、変換値Ａに設定数、たとえば１を加算し、たとえば秒毎受信状態フラグが１０秒間の内９秒間だけ１の場合に、変換値Ａの値をそのまま保持し、たとえば秒毎受信状態フラグが１０秒間の内８秒間だけ１の場合に、変換値Ａから設定値、たとえば１だけ減算する。ただし、変換値Ａの最大値は７とする。
【００８５】
（３）制御回路２０は、１分間で００秒（マーカーＭ）が検出できるか否かを判別し、判別の結果、検出できない場合には、秒同期処理に戻る。
【００８６】
（４）制御回路２０は、１分間で００秒（マーカーＭ）が検出できた場合には、分同期処理を行い、次の時刻データ判別処理に進む。
【００８７】
〔時刻データ判別処理〕
（１）制御回路２０は、毎秒上述したリアルタイム判定を行い、秒毎受信状態フラグをバッファ２０２等に記憶する。
【００８８】
（２）制御回路２０は、設定時間毎に、たとえば、１０秒毎に変換値Ａを受信状態に基づいて更新し、更新された変換値Ａを受信状態表示部３０に表示する。
詳細には、制御回路２０による変換値Ａの更新は、たとえば秒毎受信状態フラグが１０秒間に全て１の場合に、変換値Ａに設定数、たとえば１を加算し、たとえば秒毎受信状態フラグが１０秒間の内９秒間だけ１の場合に、変換値Ａの値をそのまま保持し、たとえば秒毎受信状態フラグが１０秒間の内８秒間だけ１の場合に、変換値Ａから設定値、たとえば１だけ減算する。だたし、変換値Ａの最大値は７とする。
【００８９】
（３）制御回路２０は、標準電波信号受信系１１から出力されるパルス信号Ｓ１１に基づいて毎秒、０信号、１信号、Ｐ信号の判定を行う。エラー時には秒同期処理に戻る。
【００９０】
（４）制御回路２０は、１分間の内、たとえば秒毎受信状態フラグが１０秒間に全て１の場合が続いた場合には、変換値Ａを８に設定して受信状態表示部３０に表示する。この際、変換値Ａの最大値を８に変更する。
（５）全ての時刻データを読み取り完了時に、制御回路２０は、変換値Ａが８の場合には９に設定し、次の００秒まで表示する。
（６）また、制御回路２０は、全ての時刻データを読み取り完了時に、秒同期処理後、全ての秒毎受信状態フラグが１の場合には、変換値Ａを１０に設定して、次の００秒まで受信状態表示部３０に表示する。
【００９１】
図９，１０は、図１に示した電波修正時計１の動作を説明するフローチャートである。図１１（ａ）〜（ｄ）は、図１に示した電波修正時計の表示部の表示例を示す図である。
図９，１０，１１等を参照しながら、電波修正時計１の動作、特に標準時刻信号の受信状態を評価し、評価に応じた表示を行う動作を、制御回路２０の動作を中心に詳細に説明する。
【００９２】
ステップＳＴ１において、制御回路２０は、たとえば、所定の標準電波受信時刻、リセットスイッチ１３１等が操作された場合には、標準電波信号受信系１１に駆動電力を供給し、標準電波信号を受信させる。
制御回路２０は、標準電波信号受信系１１の長波受信回路１１２からの出力信号が安定するまで所定時間、たとえば数秒間程度、待ち処理を行う。
また、制御回路２０は、図１１（ａ）に示すように、秒同期処理前には、表示部１９の時桁（時表示部ＤＰＡ１１）に”−”を表示して受信前である旨を表示する。
受信時に制御回路２０は、電波受信表示部ＤＰＡ６をたとえば点滅表示させて、受信中である旨を報知する。
【００９３】
ステップＳＴ２において、制御回路２０は、標準電波信号受信系１１の長波受信回路１１２から安定して出力されるパルス信号Ｓ１１を、設定時間、詳細には８秒間程度、設定周波数、詳細には３２Ｈｚで時刻コードをサンプリングして、そのサンプリング結果に基づいて受信初期時の評価値を生成する（概略の受信状態の評価を行う）。
【００９４】
図１２は、図１に示した電波修正時計のサンプリングを説明するための図である。
制御回路２０は、たとえば図１２に示すようなバッファ（メモリ）２０２を有する。
バッファ２０２は、たとえば図１２に示すように、サンプリング周波数やサンプリングする時間に応じた記憶容量を有する。バッファ２０２は、本実施形態では図１２に示すように、（３２×８）ビットの記憶容量を有する。
【００９５】
制御回路２０は、詳細には、たとえば図２（ｂ）に示すような標準電波信号受信系１１から出力されたパルス信号Ｓ１１を、３１．２５ｍｓｅｃ周期（周波数３２Ｈｚ）でサンプリングし、サンプリング結果のハイレベルまたはローレベルを示すデータをバッファ２０２に順次格納する。そして制御回路２０は、１秒目から８秒目まで順にサンプリング結果を格納する。
制御回路２０は、たとえば簡単な処理のため、パルス信号Ｓ１１のレベルがハイレベルの場合に「１」データを、パルス信号がローレベルの場合に「０」データを、バッファ２０２に順次格納する。
【００９６】
たとえば制御回路２０は、バッファ２０２の図中上部の一行目に、最新のサンプリングデータを格納する。以降、最新サンプリングデータを一行目に格納する前に、格納データを次行にシフトした後、一行目に最新のサンプリングデータを格納する。つまり、バッファ２０２の８行目には８秒前のサンプリングデータが格納される。
【００９７】
ステップＳＴ３において、制御回路２０は、受信状態を示す評価値を演算（計算）する。
詳細には制御回路２０は、設定時間内の、標準電波信号受信系１１によるパルス信号のレベルの切り替り点Ｐの個数と、設定個数とを比較し、比較の結果に基づいて、標準電波信号受信系１１により受信される標準時刻信号の受信状態を示す評価値を生成する。
【００９８】
受信状態が良好な場合に、パルス信号Ｓ１１は、たとえば図２（ａ），（ｂ）に示すように、１秒間に１個の立ち下り点ＰＬＤを含み、たとえばノイズが多い場合には、パルス信号Ｓ１１は、１秒間に２個以上の立ち下り点ＰＬＤを含む場合がある。
また、たとえばパルス信号Ｓ１１に、時刻コードが含まれていない場合には、１秒間に１個も立ち下り点ＰＬＤを含まない場合がある。
【００９９】
上述した特性に鑑みて、制御回路２０は、設定時間内のパルス信号の切り替り点Ｐの個数、詳細には立ち下がり点ＰＬＤの個数に応じた評価値Ｓを演算し、その評価値Ｓが受信良好時に検出されるであろう立ち下り点ＰＬＤの個数Ｓthとの差に基づいて受信状態を示す指標となる評価値Ａを演算する。
つまり、差が小さいほど受信状態が良好なために、評価値Ａが大きくなる。
【０１００】
制御回路２０は、上述したように受信状態を評価することにより、実際の受信状態を高精度に反映する、受信状態を示す評価値を生成することができる。
【０１０１】
図１３（ａ），（ｂ）は、図１に示した電波修正時計の受信状態を評価する動作を説明するための図である。
図１３（ａ）は設定期間内のパルス信号の切り替り点の数Ｓと設定個数Ｓｔｈ、および変換値Ａを説明するための図である。図１３（ｂ）は図１３（ａ）に示した図に対応する表である。
【０１０２】
本実施形態に係る制御回路２０は、受信初期時には、判定精度を高めるために、設定時間、詳細には８秒間のサンプリングの結果に基づいて初期の評価値を生成する。
【０１０３】
制御回路２０は、たとえば図１２に示すようにバッファ２０２に格納された秒毎のデータに基づいて、パルス信号Ｓ１１のレベルがハイレベル（Ｈ）からローレベル（Ｌ）に立ち下る点ＰＬＤ（つまり「１」データから「０」データに切り替わる点）の個数Ｓを特定する。
【０１０４】
制御回路２０は、本実施形態では８秒間のサンプリングを行うので、受信良好時に８秒間に検出される立り下り点ＰＬＤの個数である８個を設定個数Ｓthに設定する。
制御回路２０は、図１３（ａ），（ｂ）に示すように、標準電波信号受信系１１により受信されたパルス信号Ｓ１１に基づいて、実際に特定された立ち下り点ＰＬＤの個数Ｓと、設定個数Ｓthとの差が小さい程、受信状態が良好であると判断して比較的高い評価値を生成し、差が大きい程、受信状態が良好でない判断して比較的低い評価値を生成する。
【０１０５】
ステップＳＴ４において、本具体例では、制御回路２０は、図１３（ａ），（ｂ）に示すように、立ち下り点ＰＬＤの個数Ｓが８個よりも小さい場合に、タイムコードが受信されない場合があると判断して、その個数Ｓを変換値Ａとする。
また、制御回路２０は、立ち下り点ＰＬＤの個数Ｓが８個の場合に、受信状態が良好であると判断して変換値Ａを７とする。
また、制御回路２０は、立ち下り点ＰＬＤの個数Ｓが８個よりも大きく１６個以下の場合に、パルス信号Ｓ１１にノイズ成分が含まれていると判断して、１６からその個数Ｓを減算した数を評価値Ａとする。
立ち下り点ＰＬＤの個数Ｓが１６個よりも大きい場合に、パルス信号Ｓ１１に非常に多くのノイズが含まれていると判断して変換値Ａを０とする。
【０１０６】
制御回路２０は、図１１（ｂ）に示すように、分桁（分表示部ＤＰＡ１２）に、変換値Ａに応じた受信状態を示す表示を行う。
【０１０７】
上述したように、後述する秒同期処理の前に、受信初期時の受信状態に応じた変換値Ａを生成し、変換値Ａに応じた受信状態を表示するので、短時間ですばやく受信状態を報知することができる。
【０１０８】
ステップＳＴ５において、制御回路２０は、秒同期処理を行う。
詳細には制御回路２０は、内部時計２０１により計時される時刻時間と、標準電波信号受信系１１によるパルス信号のレベルの切り替り点とに基づいて秒同期処理を行う。
【０１０９】
図１４は、図１に示した電波修正時計の秒同期処理を説明するための図である。図１４を参照しながら、より具体的に秒同期処理を説明する。
制御回路２０は、たとえば、バッファ２０２に記憶されたデータを基に、毎秒（列毎）の”０”データの個数をカウントし、バッファ２０２の最下位の行（アドレス）に対応する記憶領域に書き込む。
制御回路２０は、最下位の行（アドレス）に対応する記憶領域からデータを読み出して、たとえば図１４（ｄ）に示すような”１１１１０００…”等のデータパターンを検索する。
【０１１０】
この際、制御回路２０は、秒同期検出時のサンプリングの結果の判定基準として、０信号の計数結果が３個以下の場合には１信号に設定し、６個以上の時は０信号と設定する。４個または５個の場合には判定不可能であるとする。
【０１１１】
つまり、制御回路２０による秒同期処理は、図１４（ａ）〜（ｃ）に示すように、パルス信号Ｓ１１の内、１信号、０信号、Ｐ信号のレベルの切り替り点Ｐ、詳細には共通の立ち下り点ＰＬＤを検出する処理である。
【０１１２】
制御回路２０は、検索の結果、１信号から０信号に変わる共通の立ち下り点ＰＬＤを秒同期点ＰＳとする。
制御回路２０は、この秒同期点ＰＳと、内部時計２０１により計時される時刻情報とのずれを検出し、そのずれの量をバッファ２０２等に記憶する。
また、制御回路２０は、このずれに基づいて、内部時計２０１の時刻情報の秒同期処理を行う。
【０１１３】
制御回路２０は、たとえば上述したパターンが検出されない場合や２個以上、上記パターンュが検出された場合には再度、パターン検出処理を行う。
【０１１４】
ステップＳＴ６において、制御回路２０は、秒同期が適正に行われたか否かを判別し、判別の結果、適正に行われない場合に、変換値Ａが０〜３であるか否かを判別し（ＳＴ７）、判別の結果、変換値Ａが０〜３である場合には受信状態が良好でないと判断して、ステップＳＴ２の処理に戻る。
【０１１５】
一方、ステップＳＴ７の判断において、制御回路２０は、変換値Ａが０〜３でない場合には受信状態が良好でないと判断して、変換値Ａを０に設定して受信状態表示部３０に表示し（ＳＴ８）、ステップＳＴ２の処理に戻る。
【０１１６】
一方、ステップＳＴ６の判断において、制御回路２０は、秒同期処理が適正に行われたと判別した場合には、分同期処理を行う。
さらに制御回路２０は、毎秒受信状態を評価し、評価結果に応じて秒毎受信状態フラグを設定し、バッファ２０２に記憶し、秒毎に受信状態表示部３０にリアルタイム表示を行う（ＳＴ９）。
【０１１７】
具体的には、同期処理後、制御回路２０は、設定期間毎、たとえば１秒毎に、上述したようにパルス信号Ｓ１１内について、ノイズパルスの有無（１秒内の立ち下り点ＰＬＤが設定個数検出されるか否か）や、パルス信号Ｓ１１内に時刻信号が含まれているか否か（１秒内に立下り点が設定個数検出されるか否か）や、秒同期点ＰＳがずれているか否を判断し、判断結果を基に第１〜第３判定フラグを設定し、そのフラグが示す結果に基づいて秒毎受信状態フラグを設定してバッファ２０２に記憶する。
【０１１８】
詳細には、制御回路２０は、上記第１から第３判定フラグが全て１の場合には、秒毎の受信状態を示す秒毎受信状態フラグを１に設定して、受信状態が良好である旨、たとえば図１１（ｃ）に示すように、”０”（ＯＫ）を受信状態表示部３０に表示し、それ以外の場合には、秒毎受信状態フラグを０に設定して、受信状態が良好でない旨、たとえば図１１（ｄ）に示すように、”−”（ＮＧ）を受信状態表示部３０に表示する（ＳＴ１０）。
【０１１９】
ステップＳＴ１１において、制御回路２０は、設定時間毎、たとえば１０秒毎に変換値Ａの更新を行ために、Ｎ（Ｎは整数）×１０秒目であるか否かを判別し、判別の結果、１０秒目であると判断した場合には変換値Ａの更新を行う（ＳＴ１２）。一方、判断の結果それ以外の場合にはステップＳＴ１３の処理に進む。
【０１２０】
制御回路２０による変換値Ａの更新は、たとえば秒毎受信状態フラグが１０秒間に全て１の場合に、変換値Ａに設定数、たとえば１を加算し、たとえば秒毎受信状態フラグが１０秒間の内９秒間だけ１の場合に、変換値Ａの値をそのまま保持し、たとえば秒毎受信状態フラグが１０秒間の内８秒間だけ１の場合に、変換値Ａから設定値、たとえば１だけ減算する。ただし、変換値Ａの最大値は７とする。ステップＳＴ１３の処理に進む。
【０１２１】
ステップＳＴ１３において、制御回路２０は、パルス信号Ｓ１１の内から”Ｐ”信号を検出する処理を行う。
図１５（ａ）〜（ｅ）は、図１に示した電波修正時計受信するパルス信号のデコード処理を説明するための図である。
図１５（ａ）はパルス信号のうち”Ｐ”信号を示す図であり、図１５（ｂ）はパルス信号のうち”１”信号を示す図であり、図１５（ｃ）はパルス信号のうち”０”信号を示す図である。
図１５（ｄ）はパルス信号をブロック単位で処理する際のブロックを示す図である。
図１５（ｅ）は、各ブロックの値と、その値に対応する時刻コードとの対応表（デコード表）を示す図である。
【０１２２】
制御回路２０は、秒同期後、上述したように秒同期点ＰＳと、内部時計２０１が計時する時刻情報とのずれの大きさを、オフセットとして、バッファ２０２に記憶されサンプリングデータに付加して、デコード処理を行う。
【０１２３】
この際、たとえばバッファを順次６ビット、１０ビット、１０ビット、６ビットに分け、それぞれをブロックＡ，Ｂ，Ｃ，Ｄに割り当てる。
つまり、ブロックＡは０〜０．２秒、ブロックＢは０．２〜０．５秒、ブロックＣは０５〜０．８秒、ブロックＤは０．８〜１．０秒に対応する。
【０１２４】
そして各ブロック内の”１”ビットの個数をカウントして、カウント結果に応じて最終的な各ブロック内のレベル（データ）を決定する。
詳細には、たとえばブロックＡの場合には、６ビット中、”１”データが０個から２個検出された場合にはブロックＡのレベル（データ）を”０”に設定し、”１”データが３個から６個検出された場合にはブロックＡのレベル（データ）を”１”に設定する。
詳細には、たとえばブロックＢ，Ｃの場合には、１０ビット中、”１”データが０個から４個検出された場合にはブロックＢ，Ｃのレベル（データ）を”０”に設定し、”１”データが５個から１０個検出された場合にはブロックＢ，Ｃのレベル（データ）を”１”に設定する。
【０１２５】
ブロックＤについては、マーカー信号を受信する際にノイズの影響を強く受け、ローレベル”０”の場合には受信エラーと判定するための判断要素となるので、デコード成功の機会を減らす方向に働くために、デコードＤについてはデコード処理を行わない。
【０１２６】
上述したように、ブロック単位でデコード処理を行うことでノイズ成分がある場合であっても、高精度のデコード処理を行うことができる。
【０１２７】
制御回路２０は、分同期処理の際には、上述したブロック単位でデコード処理を行い、マーカー（Ｐ信号）検出を行う。
この際、制御回路２０は、マーカー（Ｐ信号）検出を行うために、上述したブロックＡが”０”ローレベル、かつブロックＢが”１”ハイレベルである点をマーカーとして検出することが好ましい。
こうすることで、マーカー受信の際には、ブロックＣがノイズの影響を受けて検出できない場合であっても、マーカー検出を行うことができる。
【０１２８】
また、制御回路２０は、マーカーが２個連続検出された場合を分同期点（タイミング点）としてもよいし、さらに”００００ＰＰ”のパターンを検出した場合にそのパターンを基に、分同期点（タイミング点）を設定してもよい。
こうすることで、たとえば製造時の精度誤差により、パルス信号Ｓ１１のＬレベルの長さ（時間）が短い場合など、コード判定に誤りが生じた場合であっても、高精度に分同期点（タイミング点）を検出することができる。
【０１２９】
ステップＳＴ１４において、制御回路２０は、分同期処理が正常に完了したか否かを判別し、完了した場合にはステップＳＴ１６の処理に進む。
一方、ステップＳＴ１４の判別において、分同期処理が完了していない場合には、所定時間、たとえば１分間経過したか否かを判別し、１分間経過していない場合にはステップＳＴ９の処理に戻り、１分間経過している場合には分同期検出ができないと判断して、ステップＳＴ２の処理に戻る。
【０１３０】
ステップＳＴ１６において、制御回路２０は、分同期処理後、時刻コード読み取る処理（デコード処理）を行うために、パルス信号Ｓ１１をサンプリングして、バッファ２０２に記憶する。
【０１３１】
ステップＳＴ１７からステップＳＴ１９までの処理は、ステップＳＴ１０からステップＳＴ１２までの処理と同じ処理なので説明を省略する。
【０１３２】
ステップＳＴ２０において、制御回路２０は、サンプリング結果に基づいて、毎秒デコード処理を行い０信号，１信号，Ｐ信号を判別する。
【０１３３】
詳細には、制御回路２０は、分同期処理完了後、標準電波信号受信系１１から出力されたパルス信号Ｓ１１を、周波数３２Ｈｚでサンプリングして、たとえば、図１５（ａ）〜（ｄ）に示すように、各ブロック単位でハイレベル”１”またはローレベル”０”を判断し、その判断結果に基づいてＰ信号，１信号，０信号を判別する。
【０１３４】
このデコード処理の際、制御回路２０は、たとえば図１５（ｅ）に示すように、ブロックＢおよびブロックＣのレベルに基づいて、デコード処理を行う。
【０１３５】
詳細には、制御回路２０は、ブロックＢがハイレベル”１”かつブロックＣがハイレベル”１”の場合には、マーカー”Ｐ”と判別する。
ブロックＢがローレベル”０”かつブロックＣがハイレベル”１”の場合には、”１”信号であると判別する。
ブロックＢがハイレベル”１”かつブロックＣがローレベル”０”の場合には、対応する信号パターンが存在しないのでエラー（異常値）とする。
ブロックＢがローレベル”０”かつブロックＣがローレベル”０”の場合には、”０”信号であると判別する。
【０１３６】
ステップＳＴ２１において、制御回路２０は、上述の判別結果、エラー判定を行った場合に、ステップＳＴ２の処理に戻る。エラー以外の場合には、制御回路２０は、デコード結果のデータが前後データとの関係で適正か否かを判別し、判別結果、適正であると判断した場合には、そのデコード結果のデータをバッファ２０２に記憶する。
【０１３７】
ステップＳＴ２３において、制御回路２０は、分同期信号に基づいて１分目か否かを判別し、判別の結果、１分目である場合には、たとえば第１から第３フラグまたは秒毎受信状態フラグ等に基づいて、１分間にノイズが検出されない場合には、変換値Ａを最大値８に設定し、ステップＳＴ２５の処理に進む。
【０１３８】
一方、ステップＳＴ２３の判別において、１分目でないと判別した場合に、制御回路２０は、ステップＳＴ２５の処理に進む。
【０１３９】
ステップＳＴ２５において、制御回路２０は、設定時間、たとえば１分５３秒目であるか否かを判別する。この処理は、たとえば図３（ａ）に示すように、実質的にパルス信号Ｓ１１内に時刻コードが含まれている最終時間（曜日情報の最終時間）を判別している。制御回路２０は、１分５３秒目でないと判断した場合にはステップＳＴ２７の処理に進む。
【０１４０】
一方、ステップＳＴ２５の判別において、制御回路２０は、１分５３秒目であると判断した場合には、内部時計２０１が計時する時刻情報と、デコード処理の結果、得られた標準時刻が所定の割合、たとえば時刻データ内の５ブロック（分情報、時情報、積算日情報、年情報、曜日情報）のうち、（２／５）ブロック以上一致しているか否かを判別し（ＳＴ２６）、一致していない場合には、受信データを破棄して、ステップＳＴ２の処理に戻る。一方、（２／５）ブロック以上一致している場合には、ステップＳＴ２７の処理に進む。
【０１４１】
ステップＳＴ２７において、制御回路２０は、全ての時刻コードの読み取りが完了したか否かを判別し、完了していない場合には、ステップＳＴ１６の処理に戻る。
一方、ステップＳＴ２７の判別において、全ての時刻コードの読み取りが完了した場合には、制御回路２０は、変換値Ａが８であるか否かを判別し、８ではないと判別した場合には、受信状態表示部３０に、その変換値Ａに応じた受信状態を示す表示を行い（ＳＴ２９）、ステップＳＴ３３の処理に進む。
【０１４２】
一方、ステップＳＴ２８の判別において、変換値Ａが８である場合には、制御回路２０は、設定期間内、たとえば秒同期処理後このステップまで、”−”表示があったか否か、つまり設定期間内に秒毎受信状態フラグが値０になったか否かを判別する（ＳＴ３０）。
制御回路２０は、判別の結果、設定期間内に、秒毎受信状態フラグが値０になった場合には、変換値Ａを９に設定して、受信状態表示部３０に、その変換値Ａに応じた受信状態を示す表示を行い（ＳＴ３１）、ステップＳＴ３３の処理に進む。
【０１４３】
図１６（ａ）〜（ｃ）は、図１に示した電波修正時計の表示部の表示例を示す図である。
制御回路２０は、変換値Ａが８から９に更新した場合には、たとえば図１６（ａ），（ｂ）に示すように、受信状態表示部３０の分桁（分表示部ＤＰＡ１２）に、評価値Ａに応じた受信状態を示す値８から値９に更新して表示する。
【０１４４】
一方、ステップＳＴ３０の判別において、設定期間内、たとえば秒同期処理後このステップまで、設定期間内に秒毎受信状態フラグが値０になっていない場合、つまり設定期間内に秒毎受信状態フラグが全て値１の場合には、変換値Ａを値１０に設定して、受信状態表示部３０に、その変換値Ａに応じた受信状態を示す表示を行い（ＳＴ３２）、ステップＳＴ３３の処理に進む。
【０１４５】
ステップＳＴ３３の処理において、制御回路２０は、上述したデコード処理の結果、得られた標準時刻信号に基づいて内部時計２０１が計時する時刻情報を修正する。
【０１４６】
ステップＳＴ３４において、制御回路２０は、設定されたタイミング、たとえば内部時計２０１が計時する時刻情報が、００秒になった場合には、たとえば図１６（ｃ）に示すように、表示部１９に内部時計に応じた現時刻表示を行う。
【０１４７】
以上、説明したように、電波信号を受信し、受信結果に応じたパルス信号Ｓ１１を出力する標準電波信号受信系１１と、標準電波信号受信系１１によるパルス信号のレベルの切り替り点を検出し、その検出の結果に基づいて標準電波信号受信系１により受信される標準時刻信号の受信状態を評価する制御回路２０と、制御回路２０による受信状態の評価に基づいて標準時刻信号の受信状態を示す表示を行う表示部１９や受信状態表示部３０とを設けたので、短時間に、高精度に受信状態を報知することができる電波修正時計を提供することができる。
【０１４８】
また、制御回路２０は、設定時間内のパルス信号Ｓ１１のレベルの切り替り点の個数と、設定個数とを比較し、その比較の結果に基づいて標準時刻信号の受信状態の評価値Ａを生成し、表示部１９や受信状態表示部３０は、その評価値Ａに基づいて標準電波信号受信系１１による標準時刻信号の受信状態を示す表示を行うので、つまり、受信されたパルス信号のパルス幅に基づいて受信状態を判別する一般的な電波修正時計と比べて、本発明に係る電波修正時計１は、より短時間に受信状態を報知することができる。
【０１４９】
また、制御回路２０は、内部時計２０１により計時される時刻情報と、標準電波信号受信系１１によるパルス信号のレベルの切り替り点Ｐとに基づいて秒同期処理を行い秒同期処理の結果、設定時間内の切り替り点Ｐと秒同期点とのずれの有無、設定期間内の切り替り点Ｐの個数と設定個数との比較の結果のいずれかに基づいて設定時間毎に、標準電波信号受信系１１による標準時刻信号の受信状態を示す評価値を生成し、表示部１９や受信状態表示部３０は、制御回路２０により生成された評価値Ａに基づいて、標準電波信号受信系１１による標準時刻信号の受信状態を示す表示を行うので、常に受信状態に応じた評価値を更新することができる。
【０１５０】
詳細には、制御回路２０は、設定期間内の切り替り点の個数が設定個数よりも多い場合に、電波信号にノイズが含まれていると判断して受信状態の評価値を低く設定して表示部１９に当該評価を示す表示を行い、設定期間内の切り替り点の個数が設定個数よりも少ない場合に、電波信号に標準時刻信号が含まれていないと判断して受信状態の評価値を低く設定して表示部１９に当該評価を示す表示を行い、設定時間内の受信状態の評価が全て良好な場合に、複数の受信状態の評価を高く設定して表示部に当該評価を示す表示を行うので、高精度に受信状態に応じた評価値を更新することができる。
【０１５１】
また、制御回路２０は、設定された秒毎に、標準電波信号受信系１１によるパルス信号のレベルの切り替り点に基づいて、ノイズパルスが検出されたか否か、標準時刻信号が検出されたか否か、切り替り点と秒同期点とのずれの有無のいずれかに基づいて、前記設定された秒毎に、標準電波信号受信系１１による標準時刻信号の受信状態を示す評価値（秒毎受信状態フラグ）を生成し、受信状態表示部３０は、設定された秒毎に、制御回路２０により生成された秒毎受信フラグに基づいて標準電波信号受信系１１による標準時刻信号の受信状態を示す表示を行うので、略リアルタイムで受信状態を報知することができる。
【０１５２】
また、本実施形態では、表示部１９は、通常時に内部時計２０１により計時される時刻情報に応じた時刻表示を行い、電波受信時に制御回路２０による評価値に応じた受信状態を示す表示を行うので、時刻表示部と別に受信状態を示す表示部とを設ける場合と比べて、表示装置や本体部１００を小型化することができる。
【０１５３】
また、制御回路２０は、表示部１９や受信状態表示部３０に、受信状態の評価に応じた表示を設定された秒毎に行い、かつ複数の受信状態の評価に基づいて受信状態を段階的に表示させるので、ユーザにより詳細に高精度な受信状態を報知することができる。
【０１５４】
また、通常時に内部時計２０１により計時される時刻情報に応じて、デジタル方式により時刻表示を行い、電波受信時には、デジタル方式による時桁表示部、分桁表示部、秒桁表示部、年表示部、曜日表示部、アラーム表示部のいずれかに、制御回路２０による変換値Ａや秒毎受信状態フラグに応じた受信状態を示す表示を行うので、表示装置や装置本体部１００を小型化することができる。
【０１５５】
また、本実施形態では制御回路２０は、秒同期処理前に、バッファ２０２にサンプリングされたデータに基づいて、初期の評価値Ｓを生成し、その評価値Ｓを変換して変換値Ａを生成し、その変換値Ａに応じた受信状態表示（数値表示）を行うので、リセット後短時間に受信状態に応じた数値表示を行うことができる。
【０１５６】
本実施形態に係る電波修正時計１は、例えば後述するようにユーザにより用いられることが好ましい。
たとえば、標準電波送信局２から送信される標準電波を受信したい場合には、受信状態表示部３０に表示される数値が８〜１０の場所に電波修正時計１を設置する。
また、たとえば子機としての電波修正時計１が、親機から送信された電波信号を受信する場合には、標準電波送信局２からの標準電波やその他の電波との混信を避けるために、受信状態表示部３０に表示される数値が０〜３の場所に電波修正時計１を設置する。
また、受信状態表示部３０に表示される数値が４〜７の場合には、受信精度を高めるために、夜間ノイズ等が少ない時間帯等に再度リセット等により強制受信を行うことで適正に受信させてもよい。
【０１５７】
また、毎秒、リアルタイムに受信状態に応じた表示を行うので、ユーザは電波修正時計を移動させながら、受信状態が良好な設置場所を短時間に探すことができる。そして、電波修正時計は、その設置場所の受信状態に応じた段階表示を行うことができる。
【０１５８】
また、上述した受信状態の判断基準により、客観的に受信状態を評価しその評価に応じて数値により受信状態を報知することができる。
【０１５９】
なお、本発明は本実施形態に限られるものではなく、任意好適な種々の変更が可能である。
例えば、本実施形態ではデジタル方式により時刻表示および受信状態に応じた表示を行ったが、指針によるアナログ表示方式の電波修正時計であってもよい。
この際、制御回路２０により制御される駆動モータ、駆動モータにより駆動される輪列や指針等を設け、受信状態に応じた評価値を、指針たとえば秒針、分針、時針等により表示してもよい。この際、制御回路２０は、評価値に応じた指針位置に指針を設定する。
【０１６０】
また、制御回路２０は、標準電波受信時に、受信状態に係る表示項目以外の表示項目については、表示装置（ＬＣＤパネル）１９等に表示項目を表示させるための駆動信号の生成を抑止することで、受信状態に係る表示項目以外の表示項目を消灯させてもよい。こうすることにより、より高感度に標準電波信号に含まれる標準時刻信号を受信することができる。
【０１６１】
また、受信状態表示部３０による受信状態の表示は発光ダイオード（ＬＥＤ）等の点滅表示や色表示等であってもよい。
【図面の簡単な説明】
【０１６２】
【図１】本発明に係る電波修正時計の信号処理系の一実施形態を示すブロック図である。
【図２】図１に示した電波修正時計で受信される標準電波信号に含まれる標準時刻信号の一具体例を示す図である。（ａ）は標準電波信号の一具体例を示す図である。（ｂ）は受信状態が良い場合の出力波形を示す図である。（ｃ）は受信状態が良好でない場合、電波の受信強度が非常に弱い場合の出力波形の一具体例を示す図である。（ｄ）は電波の受信状態が良好でない場合の出力波形の一具体例を示す図である。
【図３】（ａ），（ｂ）は、標準電波信号の時刻コード（タイムコード）の一部である。
【図４】（ａ）〜（ｃ）は図１に示した電波修正時計の全体構成の一例を示す図である。（ａ）は電波修正時計の正面図である。（ｂ）は右側面図である。（ｃ）は上面図である。
【図５】図４に示した電波修正時計の表示部（受信状態表示部）の一具体例を示す図である。
【図６】図１に示した電波修正時計の時刻表示部および受信状態表示部の一具体例のブロック図である。
【図７】図５に示したＬＥＤパネルの一具体例の一部を示す図である。
【図８】図７に示した電波修正時計の表示部の駆動信号の一具体例を示す図である。
【図９】図１に示した電波修正時計１の動作を説明するフローチャートである。
【図１０】図１に示した電波修正時計１の動作を説明するフローチャートである。
【図１１】（ａ）〜（ｄ）は、図１に示した電波修正時計の表示部の表示例を示す図である。
【図１２】図１に示した電波修正時計のサンプリングを説明するための図である。
【図１３】（ａ），（ｂ）は、図１に示した電波修正時計の受信状態を評価する動作を説明するための図である。（ａ）は設定期間内のパルス信号の切り替り点の数Ｓと設定個数Ｓｔｈ、および変換値Ａを説明するための図である。（ｂ）は（ａ）に示した図に対応する表である。
【図１４】図１に示した電波修正時計の秒同期処理を説明するための図である。
【図１５】図１に示した電波修正時計受信するパルス信号のデコード処理を説明するための図である。（ａ）はパルス信号のうち”Ｐ”信号を示す図である。（ｂ）はパルス信号のうち”１”信号を示す図である。（ｃ）はパルス信号のうち”０”信号を示す図である。（ｄ）はパルス信号をブロック単位で処理する際のブロックを示す図である。（ｅ）は、各ブロックの値と、その値に対応する時刻コードとの対応表（デコード表）を示す図である。
【図１６】（ａ）〜（ｃ）は、図１に示した電波修正時計の表示部の表示例を示す図である。
【符号の説明】
【０１６３】
１…電波修正時計、１０…信号処理回路、１１…標準電波信号受信系、１２…発振回路、１３…スイッチ群、１４…スピーカ、１５…マイクロフォン、１６…光センサ、１７…光電変換部、１８…検出部、１９…表示部、２０…制御回路、３０…受信状態表示部、１３１…リセットスイッチ、１３２…修正スイッチ、１３３…アップスイッチ、１３４…ダウンスイッチ、１３５…（モード）設定スイッチ、１９１…ＬＣＤパネル、２０１…内部時計、２０２…バッファ（メモリ）。
【図１】
2006098272.tif 000003
【図２】
2006098272.tif 000004
【図３】
2006098272.tif 000005
【図４】
2006098272.tif 000006
【図５】
2006098272.tif 000007
【図６】
2006098272.tif 000008
【図７】
2006098272.tif 000009
【図８】
2006098272.tif 000010
【図９】
2006098272.tif 000011
【図１０】
2006098272.tif 000012
【図１１】
2006098272.tif 000013
【図１２】
2006098272.tif 000014
【図１３】
2006098272.tif 000015
【図１４】
2006098272.tif 000016
【図１５】
2006098272.tif 000017
【図１６】
2006098272.tif 000018